(57)【特許請求の範囲】
【請求項１】
浴室を構成する壁に取り付けられる浴室用テレビジョン本体を備える浴室用テレビジョンであって、
前記浴室用テレビジョン本体は、
インターネット網に接続して外部からコンテンツ情報を取得可能なインターネット通信部と、
前記インターネット通信部により前記インターネット網を介して外部から取得された画像情報に基づいて所定の画像を表示可能な表示部と、
前記インターネット通信部に接続されるＬＡＮケーブルと、
前記浴室用テレビジョン本体の内部において前記インターネット通信部に接続すると共に、前記浴室用テレビジョン本体の下部に露出して配置される通信接続部と、を備え、
前記ＬＡＮケーブルは、前記浴室を構成する壁の裏側から前記浴室を構成する天井の裏側まで延出して配置されると共に、前記インターネット網側の他のＬＡＮケーブルに接続する接続コネクタ部を有し、
前記接続コネクタ部は、前記浴室を構成する天井の裏側に配置され、
前記ＬＡＮケーブルは、端部が前記通信接続部に接続されると共に、前記端部から所定長さだけ下方に弛んだ弛み部を有して配置される、浴室用テレビジョン。
【請求項２】
前記接続コネクタ部は、前記浴室を構成する天井に形成される開口可能な点検口の近傍に配置される請求項１に記載の浴室用テレビジョン。
【請求項３】
前記浴室を構成する天井の裏側において前記天井の裏面に直接又は間接的に固定される電源ボックスと、
一端が前記浴室用テレビジョン本体の周縁部に接続されると共に他端が前記電源ボックスに接続された電源ケーブルと、を更に備え、
前記ＬＡＮケーブルは、結束部材により前記電源ケーブルに結束される請求項１又は２に記載の浴室用テレビジョン。
【発明の詳細な説明】
【技術分野】
【０００１】
本発明は、浴室用テレビジョンに関する。より詳しくは、インターネット機能を有する浴室用テレビジョンに関する。
【背景技術】
【０００２】
近年、インターネットの普及に伴い、インターネット機能を有するタブレット等を浴室内に持ち込んで、入浴中にＷｅｂコンテンツの閲覧やインターネットＴＶを楽しむ人が増えている。
【０００３】
しかしながら、入浴のたびにインターネット機能を有するタブレットを浴室に持ち込むのは、非常に面倒なことである。また、持ち込むタブレットは防水機能を有する必要がある。更には、タブレットは持ち運びを前提としているので、大型化が難しいという問題があった。
【０００４】
また、従来、浴室内に配置されるインターネット機能を有する浴室用テレビジョンが知られている（例えば、特許文献１参照）。しかしながら、この浴室用テレビジョンは、浴槽に取り付けられる小型のものであり、タブレットと実質的に相違ないものであった。
【先行技術文献】
【特許文献】
【０００５】
【特許文献１】特開２０００−１０６６５９号公報
【発明の概要】
【発明が解決しようとする課題】
【０００６】
これに対して、大型化が可能なインターネット機能を有する浴室用テレビジョンが求められていた。特に、実質的に大型化できるものは浴室の壁に取り付けられた浴室用テレビジョンであることから、浴室の壁に取り付けられて大型化が可能なインターネット機能を有する浴室用テレビジョンが求められていた。
【０００７】
本発明は、浴室の壁に取り付けられて大型化が可能なインターネット機能を有する浴室用テレビジョンを提供することを目的とする。
【課題を解決するための手段】
【０００８】
本発明は、浴室（例えば、後述の浴室１）を構成する壁（例えば、後述の壁１０）に取り付けられる浴室用テレビジョン本体（例えば、後述の浴室用テレビジョン本体１０１）を備える浴室用テレビジョンであって、前記浴室用テレビジョン本体は、インターネット網に接続して外部からコンテンツ情報を取得可能なインターネット通信部（例えば、後述のインターネット通信部）と、前記インターネット通信部によりインターネット網を介して外部から取得された画像情報に基づいて所定の画像を表示可能な表示部（例えば、表示部１２０）と、を有する浴室用テレビジョン（例えば、後述の浴室用テレビジョン１００）を提供する。
【０００９】
また、浴室用テレビジョンは、前記インターネット通信部に接続されるＬＡＮケーブル（例えば、後述のＬＡＮケーブル２８０）を更に備え、前記ＬＡＮケーブルは、前記浴室を構成する壁の裏側から前記浴室を構成する天井（例えば、後述の天井２０）の裏側まで延出して配置されると共に、前記インターネット網側の他のＬＡＮケーブルに接続する接続コネクタ部（例えば、後述の第３コネクタ２８６ａ）を有し、前記接続コネクタ部は、前記浴室を構成する天井の裏側に配置されることが好ましい。
【００１０】
また、前記接続コネクタ部は、前記浴室を構成する天井に形成される開口可能な点検口（例えば、後述の点検口２５）の近傍に配置されることが好ましい。
【００１１】
また、浴室用テレビジョンは、前記浴室を構成する天井の裏側において前記天井の裏面に直接又は間接的に固定される電源ボックス（例えば、後述の電源ボックス２１０）と、一端が前記浴室用テレビジョン本体の周縁部（例えば、後述の浴室用テレビジョン本体１０１の下部）に接続されると共に他端が前記電源ボックスに接続された電源ケーブル（例えば、後述の電源ケーブル２５０）と、を更に備え、前記ＬＡＮケーブルは、結束部材（例えば、後述の結束バンド４１０から４７０）により前記電源ケーブルに結束されることが好ましい。
【００１２】
また、浴室用テレビジョン本体は、その内部において前記インターネット通信部に接続すると共に、前記浴室用テレビジョン本体の下部に露出して配置される通信接続部（例えば、後述のインターネット接続部１１１）を更に有し、前記ＬＡＮケーブルは、端部が前記通信接続部に接続されると共に、前記端部から所定長さだけ下方に弛んだ弛み部（例えば、後述の弛み部Ｔ）を有して配置されることが好ましい。
【発明の効果】
【００１３】
本発明によれば、浴室の壁に取り付けられて大型化が可能なインターネット機能を有する浴室用テレビジョンを提供することができる。
【図面の簡単な説明】
【００１４】
【図１】浴室の全体構成を示す斜視図である。
【図２】浴室用テレビジョンの構成を説明するための浴室の側面図である。
【図３】浴室を構成する天井の裏側における各種ケーブルの配置を説明するための浴室の平面図である。
【図４】ケーブルにおける弛み部を説明するための浴室を構成する壁を裏側からみた図である。
【発明を実施するための形態】
【００１５】
以下、本発明の実施形態について、図面を参照して詳細に説明する。
まず、図１により、浴室１の全体構成について説明する。図１は、浴室の全体構成を示す斜視図である。
図１に示すように、浴室１は、壁１０と、天井２０等により構成された略直方体の空間部である。浴室１は、浴槽５０と、浴室用テレビジョン１００と、を有する。
【００１６】
浴室用テレビジョン１００は、浴室用テレビジョン本体１０１を有する。浴室用テレビジョン本体１０１は、浴室１を構成する壁１０に取り付けられる。浴室用テレビジョン本体１０１は、後述する表示部１２０を有する。浴室用テレビジョン本体１０１は、表示部１２０における表示面が浴槽側を向くように壁１０に取り付けられる。本実施形態において、浴室用テレビジョン本体１０１は、壁１０に形成された開口１１に挿入されて、壁１０に固定される。浴室用テレビジョン１００について、以下に詳述する。
【００１７】
図２から図４により、浴室用テレビジョン１００について説明する。図２は、浴室用テレビジョンの構成を説明するための浴室の側面図である。図３は、浴室を構成する天井の裏側における各種ケーブルの配置を説明するための浴室の平面図である。図４は、ケーブルにおける弛み部を説明するための浴室を構成する壁を裏側からみた図である。
【００１８】
図２に示すように、浴室用テレビジョン１００は、浴室用テレビジョン本体１０１と、電源ボックス２１０と、スピーカ２２０、２３０と、を有する。また、浴室用テレビジョン１００は、浴室用テレビジョン本体１０１に接続される電源ケーブル２５０と、アンテナケーブル２６０と、メンテナンス用ケーブル２７０と、インターネット用のＬＡＮケーブル２８０（ＬＡＮケーブル）と、スピーカケーブル２９０、３００と、を備える。
【００１９】
図２に示すように、浴室用テレビジョン本体１０１は、上述の通り、浴室１を構成する壁１０に取り付けられる。図４に示すように、浴室用テレビジョン本体１０１は、開口１１に挿入されて、開口１１の外縁に沿って配置される固定部１５０に固定される。固定部１５０には、複数の取り付け孔が形成される。本実施形態においては、浴室用テレビジョン本体１０１は、表示部１２０と反対側の面に突設される複数の取り付けピン（不図示）を有する。浴室用テレビジョン本体１０１は、該複数の取り付けピンが固定部１５０の取り付け孔に挿通することで、固定部１５０（壁１０）に取り付けられる。
【００２０】
図２から図４に示すように、浴室用テレビジョン本体１０１は、インターネット通信部１１０と、インターネット接続部１１１と、情報処理部１１５と、表示部１２０と、を有する。また、浴室用テレビジョン本体１０１は、電源ボックス２１０、スピーカ２２、２３０、アンテナ（不図示）、インターネット網（不図示）およびＵＳＢメモリ（不図示）等に接続可能に構成される。
【００２１】
図２に示すように、インターネット通信部１１０（インターネット通信部）は、インターネット接続部１１１（通信接続部）および後述するＬＡＮケーブル２８０（ＬＡＮケーブル）等を介して、インターネット網（不図示）に接続される。インターネット通信部１１０は、インターネット網に接続して外部からコンテンツ情報を取得可能に構成される。具体的には、インターネット通信部１１０は、インターネット網に接続された外部のサーバ（不図示）からコンテンツ情報を取得可能に構成される。コンテンツ情報は、例えば、画像情報や音声情報を含んで構成される。
【００２２】
図２に示すように、インターネット接続部１１１（通信接続部）は、内部においてインターネット通信部１１０に接続すると共に、該浴室用テレビジョン１００における下部に露出して配置される。インターネット接続部１１１は、浴室用テレビジョン１００の下部において電源ケーブル接続部（不図示）、アンテナケーブル接続部（不図示）、メンテナンス用ケーブル接続部（不図示）、スピーカケーブル接続部（不図示）と並んで配置される。インターネット接続部１１１は、後述するＬＡＮケーブル２８０（ＬＡＮケーブル）に接続される部分である。インターネット接続部１１１には、ＬＡＮケーブル２８０の端部に形成される接続コネクタ２８０ａが挿入装着される。インターネット接続部１１１は、ＬＡＮケーブル２８０等を介して受信したコンテンツ情報をインターネット通信部１１０に伝達する。
【００２３】
図２に示すように、情報処理部１１５は、インターネット通信部１１０からのコンテンツ情報を処理して表示部１２０やスピーカ２２０、２３０に所定の信号を出力する。情報処理部１１５は、画像情報処理部（不図示）と、音声情報処理部（不図示）等を含んで構成される。情報処理部１１５（画像情報処理部）は、コンテンツ情報に含まれる画像情報に基づいて、表示部１２０に対して所定の画像を表示させるための画像信号を出力する。また、情報処理部１１５（音声情報処理部）は、コンテンツ情報に含まれる音声情報に基づいて、スピーカ２２０、２３０に対して所定の音声を出力させるための音声信号を出力する。
【００２４】
表示部１２０は、画像を表示する表示面が浴槽５０側に向いて配置される（図１参照）。図２に示すように、表示部１２０は、インターネット通信部１１０によりインターネット網を介して外部から取得された画像情報に基づいて、所定の画像を表示可能に構成される。具体的には、表示部１２０は、情報処理部１１５（画像情報処理部）から出力された画像信号に基づいて所定の画像を表示する。所定の画像とは、静止画であってもよく、動画であってもよい。例えば、Ｗｅｂページの画像（静止画又は一部動画を含む静止画）であってもよく、インターネットテレビ放送や映画のような動画であってもよい。
【００２５】
図２および図３に示すように、電源ボックス２１０は、浴室１を構成する天井２０の裏側において天井２０の裏面に直接又は間接的に固定される。電源ボックス２１０には、一端が浴室用テレビジョン本体１０１の下部に接続される電源ケーブル２５０の他端が接続される。電源ボックス２１０は、電源ケーブル２５３を介して、所定の電源２０５に接続される。
【００２６】
図２および図３に示すように、スピーカ２２０、２３０は、浴室１を構成する天井２０に取り付けられる。スピーカ２２０、２３０は、音声出力面を浴室１内に向けて天井２０に取り付けられる。スピーカ２２０、２３０は、後述するスピーカケーブル２９０、３００を介して、浴室用テレビジョン本体１０１に接続される。詳細には、スピーカ２２０、２３０は、後述のスピーカケーブル２９０、３００およびスピーカケーブル接続部（不図示）を介して、情報処理部１１５（音声情報処理部）に接続される。スピーカ２２０、２３０は、情報処理部１１５（音声情報処理部）からの音声信号に基づいて、所定の音声を出力する。
【００２７】
図２から図４に示すように、電源ケーブル２５０と、アンテナケーブル２６０と、メンテナンス用ケーブル２７０と、インターネット用のＬＡＮケーブル２８０（ＬＡＮケーブル）と、スピーカケーブル２９０、３００とは、浴室用テレビジョン本体１０１に接続される。
【００２８】
また、電源ケーブル２５０と、アンテナケーブル２６０と、メンテナンス用ケーブル２７０と、ＬＡＮケーブル２８０と、スピーカケーブル２９０、３００とは、浴室１を構成する壁１０の裏側から浴室１を構成する天井２０の裏面まで延出して配置される。
【００２９】
また、電源ケーブル２５０と、アンテナケーブル２６０と、メンテナンス用ケーブル２７０と、ＬＡＮケーブル２８０とは、結束バンド４１０から４７０により互いに結束される。
【００３０】
また、電源ケーブル２５０と、アンテナケーブル２６０と、メンテナンス用ケーブル２７０と、ＬＡＮケーブル２８０と、スピーカケーブル２９０、３００とは、浴室用テレビジョン本体１０１に接続される端部から所定長さだけ下方に弛んだ弛み部Ｔを有する。以下、電源ケーブル２５０、アンテナケーブル２６０、メンテナンス用ケーブル２７０、ＬＡＮケーブル２８０、スピーカケーブル２９０、３００それぞれについて更に詳述する。
【００３１】
電源ケーブル２５０は、浴室用テレビジョン本体１０１側の第１電源ケーブル２５１と、電源ボックス２１０側の第２電源ケーブル２５２と、を有する。第１電源ケーブル２５１は、浴室用テレビジョン本体１０１に接続される接続コネクタ（不図示）と、第１コネクタ２５５ａと、を有する。第２電源ケーブル２５２は、第１コネクタ２５５ａに接続する第２コネクタ２５５ｂと、電源ボックス２１０に接続する第３コネクタ（不図示）と、を有する。
【００３２】
電源ケーブル２５０は、浴室用テレビジョン本体１０１に接続される。具体的には、電源ケーブル２５０は、一端である接続コネクタが浴室用テレビジョン本体１０１の下部に接続されると共に他端である第３コネクタが電源ボックス２１０に接続される。
電源ケーブル２５０は、電源ボックス２１０からの電力を浴室用テレビジョン本体１０１に入力させる。
【００３３】
電源ケーブル２５０は、浴室１を構成する壁１０の裏側から浴室１を構成する天井２０の裏面まで延出して配置される。浴室用テレビジョン本体１０１に接続される端部から所定長さだけ下方に弛んだ弛み部（弛み部Ｔを構成）を有する。本実施形態において、第１コネクタ２５５ａと第２コネクタ２５５ｂとの接続位置は、弛み部よりも上方に位置する。また、本実施形態において、第１コネクタ２５５ａが雄コネクタで、第２コネクタ２５５ｂが雌コネクタである。
【００３４】
電源ケーブル２５０は、固定された浴室用テレビジョン本体１０１と固定された電源ボックス２１０とに接続されるので、長さ方向に移動しないよう配置される。そのため、電源ケーブル２５０には、端部が未接続になり得るメンテナンス用ケーブル２７０およびＬＡＮケーブル２８０が結束バンド４１０から４７０（結束部材）により結束される。本実施形態においては、電源ケーブル２５０には、端部がアンテナ側ケーブル２６３に接続されるアンテナケーブル２６０も結束バンド４１０から４７０により結束される。
【００３５】
アンテナケーブル２６０は、浴室用テレビジョン本体１０１側の第１アンテナケーブル２６１と、アンテナ（不図示）側の第２アンテナケーブル２６２と、を有する。第１アンテナケーブル２６１は、浴室用テレビジョン本体１０１に接続される接続コネクタ（不図示）と、第１コネクタ２６５ａと、を有する。第２アンテナケーブル２６２は、第１コネクタ２６５ａに接続する第２コネクタ２６５ｂと、アンテナ側に配置されるアンテナ側ケーブル２６３の第４コネクタ２６６ｂに接続する第３コネクタ２６６ａと、を有する。
【００３６】
アンテナケーブル２６０は、浴室用テレビジョン本体１０１に接続される。具体的には、アンテナケーブル２６０は、一端である接続コネクタが浴室用テレビジョン本体１０１の下部に接続されると共に他端である第３コネクタ２６６ａがアンテナ側ケーブル２６３の第４コネクタ２６６ｂに接続される。
アンテナケーブル２６０、アンテナからの放送信号を浴室用テレビジョン本体１０１に入力させる。
【００３７】
アンテナケーブル２６０は、浴室１を構成する壁１０の裏側から浴室１を構成する天井２０の裏面まで延出して配置される。浴室用テレビジョン本体１０１に接続される端部から所定長さだけ下方に弛んだ弛み部（弛み部Ｔを構成）を有する。本実施形態において、第１コネクタ２６５ａと第２コネクタ２６５ｂとの接続位置は、弛み部よりも上方に位置する。また、本実施形態において、第１コネクタ２６５ａが雄コネクタで、第２コネクタ２６５ｂが雌コネクタである。
【００３８】
アンテナケーブル２６０は、結束バンド４１０から４７０により、メンテナンス用ケーブル２７０およびＬＡＮケーブル２８０と共に電源ケーブル２５０に結束される。
【００３９】
メンテナンス用ケーブル２７０は、浴室用テレビジョン本体１０１に不具合があった場合やバージョンアップをする場合に、浴室用テレビジョン本体１０１をＵＳＢメモリに接続するためのものであり、これにより、浴室用テレビジョン本体１０１の内部ソフトの更新が可能となっている。このメンテナンス用ケーブル２７０は、浴室用テレビジョン本体１０１側の第１メンテナンス用ケーブル２７１と、ＵＳＢメモリ（不図示）側の第２メンテナンス用ケーブル２７２と、を有する。第１メンテナンス用ケーブル２７１は、浴室用テレビジョン本体１０１に接続される接続コネクタ（不図示）と、第１コネクタ２７５ａと、を有する。第２メンテナンス用ケーブル２７２は、第１コネクタ２７５ａに接続する第２コネクタ２７５ｂと、ＵＳＢメモリに接続される第３コネクタ２７６ａと、を有する。
【００４０】
メンテナンス用ケーブル２７０は、浴室用テレビジョン本体１０１に接続される。具体的には、メンテナンス用ケーブル２７０は、一端である接続コネクタが浴室用テレビジョン本体１０１の下部に接続されると共に他端である第３コネクタ２７６ａがＵＳＢメモリに接続される。通常、第３コネクタ２７６ａは、ＵＳＢメモリに接続されていない状態で、天井２０に形成される開口可能な点検口２５の近傍に配置される。
【００４１】
メンテナンス用ケーブル２７０は、浴室１を構成する壁１０の裏側から浴室１を構成する天井２０の裏面まで延出して配置される。浴室用テレビジョン本体１０１に接続される端部から所定長さだけ下方に弛んだ弛み部（弛み部Ｔを構成）を有する。本実施形態において、第１コネクタ２７５ａと第２コネクタ２７５ｂとの接続位置は、弛み部よりも上方に位置する。また、本実施形態において、第１コネクタ２７５ａが雄コネクタで、第２コネクタ２７５ｂが雌コネクタである。
【００４２】
メンテナンス用ケーブル２７０は、結束バンド４１０から４７０により、アンテナケーブル２６０およびＬＡＮケーブル２８０と共に電源ケーブル２５０に結束される。
【００４３】
ＬＡＮケーブル２８０は、浴室用テレビジョン本体１０１側の第１ＬＡＮケーブル２８１と、インターネット網側の第２ＬＡＮケーブル２８２と、を有する。第１ＬＡＮケーブル２８１は、浴室用テレビジョン本体１０１のインターネット接続部１１１に接続される接続コネクタ２８０ａと、第１コネクタ２８５ａと、を有する。第２ＬＡＮケーブル２８１は、第１コネクタ２８５ａに接続する第２コネクタ２８５ｂと、インターネット網側における他のＬＡＮケーブルのコネクタに接続される第３コネクタ２８６ａと、を有する。
【００４４】
ＬＡＮケーブル２８０は、浴室用テレビジョン本体１０１に接続される。具体的には、ＬＡＮケーブル２８０は、一端である接続コネクタ２８０ａが浴室用テレビジョン本体１０１の下部（インターネット接続部１１１）に接続されると共に他端である第３コネクタ２８６ａが他のＬＡＮケーブルのコネクタに接続される。通常、第３コネクタ２８６ａは、他のＬＡＮケーブルのコネクタに接続されていない状態で、天井２０に形成される開口可能な点検口２５の近傍に配置される。第３コネクタ２８６ａが点検口２５の近傍に配置されることで、作業者は、浴室用テレビジョン本体１０１を壁１０から取り外す等の作業をすることなく、容易に浴室用テレビジョン本体１０１を事後的にインターネット網に接続することができる。
ＬＡＮケーブル２８０は、インターネット網に接続して外部からコンテンツ情報をインターネット通信部１１０に伝達する。
【００４５】
ＬＡＮケーブル２８０は、浴室１を構成する壁１０の裏側から浴室１を構成する天井２０の裏面まで延出して配置される。浴室用テレビジョン本体１０１に接続される端部から所定長さだけ下方に弛んだ弛み部（弛み部Ｔを構成）を有する。本実施形態において、第１コネクタ２８５ａと第２コネクタ２８５ｂとの接続位置は、弛み部よりも上方に位置する。また、本実施形態において、第１コネクタ２８５ａが雄コネクタで、第２コネクタ２８５ｂが雌コネクタである。
【００４６】
ＬＡＮケーブル２８０は、結束バンド４１０から４７０により、アンテナケーブル２６０およびメンテナンス用ケーブル２７０と共に電源ケーブル２５０に結束される。
【００４７】
スピーカケーブル２９０、３００と浴室用テレビジョン本体１０１側の第１スピーカケーブル２９１、３０１と、スピーカ２２０、２３０側の第２スピーカケーブル２９２、３０２と、を有する。第１スピーカケーブル２９１、３０１は、浴室用テレビジョン本体１０１に接続される接続コネクタ（不図示）と、第１コネクタ２９５ａ、３０５ａと、を有する。第２スピーカケーブル２９２、３０２は、第１コネクタ２８５ａに接続する第２コネクタ２８５ｂと、インターネット網側における他のＬＡＮケーブルのコネクタに接続される第３コネクタ２８６ａと、を有する。
【００４８】
スピーカケーブル２９０、３００は、浴室用テレビジョン本体１０１に接続される。具体的には、スピーカケーブル２９０、３００は、一端である接続コネクタ２８０ａが浴室用テレビジョン本体１０１の下部に接続されると共に他端である第３コネクタ２９６ａ、３０６ａがスピーカ２２０、２３０から延出するスピーカ側ケーブル２９３、３０３のコネクタ２９６ｂ、３０６ｂに接続される。
スピーカケーブル２９０、３００は、情報処理部１１５（音声情報処理部）から出力された音声信号をスピーカ２２０、２３０に出力する。
【００４９】
スピーカケーブル２９０、３００は、浴室１を構成する壁１０の裏側から浴室１を構成する天井２０の裏面まで延出して配置される。浴室用テレビジョン本体１０１に接続される端部から所定長さだけ下方に弛んだ弛み部（弛み部Ｔを構成）を有する。本実施形態において、第１コネクタ２９５ａ、３０５ａと第２コネクタ２９５ｂ、３０５ｂとの接続位置は、弛み部よりも上方に位置する。また、本実施形態において、第１コネクタ２９５ａ、３０５が雄コネクタで、第２コネクタ２９５ｂ、３０５ｂが雌コネクタである。
【００５０】
本実施形態の浴室用テレビジョン１００によれば、以下の効果を奏する。
本実施形態において、浴室用テレビジョン本体１０１は、浴室１を構成する壁１０に取り付けられる。そして、浴室用テレビジョン本体１０１は、インターネット網に接続して外部からコンテンツ情報を取得可能なインターネット通信部１１０と、インターネット通信部１１０によりインターネット網を介して外部から取得された画像情報に基づいて所定の画像を表示可能な表示部１２０と、を有する。
本実施形態によれば、浴室の壁に取り付けられたインターネット機能を有する浴室用テレビジョンを提供することができる。また、浴室用テレビジョン本体１０１は壁１０に取り付けられているので、タブレット端末等を持ち込む必要がなくなる。また、浴室用テレビジョン本体１０１は壁１０に取り付けられているので、タブレット端末や浴室内の所定箇所に取り外し可能な浴室用テレビジョンに比べて大型化することができる。例えば、３２型等の浴室用テレビジョン本体を使用することができる。
【００５１】
また、本実施形態によれば、浴室用テレビジョン１００は、インターネット通信部１１０に接続されるＬＡＮケーブル２８０を更に備え、ＬＡＮケーブル２８０は、浴室１を構成する壁１０の裏側から浴室１を構成する天井２０の裏面まで延出して配置される。また、インターネット網側の他のＬＡＮケーブルに接続する第３コネクタ２８６ａを有し、第３コネクタ２８６ａは、浴室を構成する天井の裏側に配置される。
これにより、ＬＡＮケーブルの第３コネクタ２８６ａは、天井２０の裏側に配置される。従来、ＬＡＮケーブル端部のコネタクは壁１０の裏側に配置されていたため、ユーザーがインターネットの使用を望むようになった場合には、浴室用テレビジョン本体１０１を壁から取り外す必要があったが、本実施形態によれば、作業者は、浴室用テレビジョン本体１０１を壁１０から取り外す等の作業をすることなく、浴室用テレビジョン本体１０１を事後的にインターネット網に接続することができる。また、これにより、天井裏においてＬＡＮケーブルの接続作業できるため、インターネット設備工事（ケーブルの配線工事）が容易である。
【００５２】
本実施形態によれば、第３コネクタ２８６ａは、浴室１を構成する天井２０に形成される開口可能な点検口２５の近傍に配置される。第３コネクタ２８６ａは、他のＬＡＮケーブルのコネクタに接続されていない状態で、天井２０に形成される開口可能な点検口２５の近傍に配置される。これにより、第３コネクタ２８６ａが点検口２５の近傍に配置されることで、作業者は、浴室用テレビジョン本体１０１を壁１０から取り外す等の作業をすることなく、より容易に浴室用テレビジョン本体１０１を事後的にインターネット網に接続することができる。これにより、天井裏においてＬＡＮケーブルの接続作業できるため、インターネット設備工事（ケーブルの配線工事）がより容易である。
【００５３】
本実施形態によれば、浴室用テレビジョン１００は、浴室１を構成する天井２０の裏側において天井２０の裏面に直接又は間接的に固定される電源ボックス２１０と、一端が浴室用テレビジョン本体１０１の下部に接続されると共に他端が電源ボックス２１０に接続された電源ケーブル２５０と、を更に備える。そして、ＬＡＮケーブル２８０は、結束バンドにより電源ケーブル２５０に結束される。ここで、電源ケーブル２５０は、固定された浴室用テレビジョン本体１０１と固定された電源ボックス２１０とに接続されるので、長さ方向に移動しないよう配置される。そして、ＬＡＮケーブル２８０が結束バンドにより電源ケーブル２５０に結束される。これにより、自由端となっている第３コネクタ２８６ａの抜けを抑制できる。
【００５４】
本実施形態によれば、浴室用テレビジョン本体１０１は、浴室用テレビジョン本体１０１の内部においてインターネット通信部１１０に接続すると共に、浴室用テレビジョン本体１０１の下部に露出して配置されるインターネット接続部１１１を有し、ＬＡＮケーブル２８０は、端部がインターネット接続部１１１に接続されると共に、端部から所定長さだけ下方に弛んだ弛み部を有して配置される。これにより、壁１０の裏側において結露により生じた結露水が、ケーブルを伝って浴室用テレビジョン本体１０１との接続部（インターネット接続部１１１）に入り込むことを抑制できる。
【００５５】
本実施形態によれば、各ケーブルにおいて、下方に配置される第１コネクタが雄コネクタで、上方に配置される第２コネクタが雌コネクタである。これにより、結露水が第１コネクタと第２コネクタとの接続部分に入り込むことを抑制できる。
【００５６】
なお、本発明は上記実施形態に限定されるものではなく、本発明の目的を達成できる範囲内での変形、改良等は本発明に含まれる。
本実施形態において、浴室用テレビジョン１００は、ＬＡＮケーブルを利用した有線通信によりインターネット網と接続しているが、これに限定されず、ＷｉＦｉや無線ＬＮ等を利用した無線通信によりインターネット網と接続してもよい。
【００５７】
また、本実施形態においては、浴室用テレビジョン本体は壁に形成された開口に埋め込む埋め込みタイプであるが、これに限定されず、いわゆる外付けタイプ（開口が無く、壁面に直接取り付けるタイプ）であってもよい。
【００５８】
また、本実施形態においては、各ケーブルにおける上方の配置されるコネクタが雌コネクタで、下方に配置されるコネクタが雄コネクタであるが、これに限定されず、この逆であってもよい。
【符号の説明】
【００５９】
１…浴室
１０…壁
２０…天井
２５…点検口
５０…浴槽
１００…浴室用テレビジョン
１０１…浴室用テレビジョン本体
１１０…インターネット通信部
１１０…インターネット接続部（通信接続部）
１１５…情報処理部
１２０…表示部
２１０…電源ボックス
２８０…ＬＡＮケーブル
２８６ａ…第３コネクタ（接続コネクタ部）
４１０〜４７０…結束バンド（結束部材）
Ｔ…弛み部
【図１】
0006688055.tif 000002
【図２】
0006688055.tif 000003
【図３】
0006688055.tif 000004
【図４】
0006688055.tif 000005